(57)【要約】【課題】大型の建築物であっても安全且つ確実迅速にシーリング材を剥がすことができる電動剥がし器を提供すること。【解決手段】電動インパクト１にユニバーサルジョイント４を取り付け、ユニバーサルジョイントと一体的に取り付けた傾斜調節可能な支持体５の接続軸７を、側面に押さえハンドル１０を固定したケーシング９内のベアリングに挿着する。ケーシング９の前部に、基部をケーシングに固着したへら棒１１を突設し、電動インパクト１をスイッチオンすると接続軸７が回転し同時にベアリングの回転に伴いケーシング９が振動してへら棒１１が振動エネルギー機能を発揮する。【選択図】図１
2015113697.tif 000002
【特許請求の範囲】
【請求項１】
端部にバッテリー部を有しスイッチ操作で内部のモーターが作動する電動インパクトにユニバーサルジョイントを取り付け、ユニバーサルジョイントと一体的に取り付けた傾斜調節可能な支持体の接続軸を、側面に押さえハンドルを固定したケーシング内のベアリングに挿着し、ケーシング前部に、基部を該ケーシングに固着したへら棒を突設し、前記電動インパクトをスイッチオンすると接続軸が回転し同時にベアリングを介してケーシングが振動するのに伴ってへら棒が振動エネルギー機能を発揮することを特徴とする電動シーリング剥がし器。
【請求項２】
前記へら棒は、シャフトの先端部片側が傾斜形成されていることを特徴とする請求項１記載の電動シーリング剥がし器。
【発明の詳細な説明】
【技術分野】
【０００１】  本発明は、シーリング材を効果的に剥がすことができる電動シーリング剥がし器に関する。
【背景技術】
【０００２】  シーリング材幅の両端にカッターナイフで切り込みを入れてからマイナスドライバーで下方よりこじ開けて浮き上がらせ、プライヤー等ではさみ、引っ張って取り除く、また剥がした個所はその日のうちに新シーリング材を打ち変えなければならない、こうした工程の繰り返し作業が従来法であるが、この方法は非常に効率性が悪く、シーリング打替え工事費が高価となるためもっと安価にできないかとの疑問が残っている。また近年は新築ビルよりリニューアル工事が多くなる傾向にあり、シーリング材の耐用年数が１０〜１５年と言われる点からもシーリング剥がし作業は少なからず業界の課題でもある。【０００３】  現在のシーリング打替え工事において１０階建て以下では、ゴンドラ設備か足場枠材（パイプ等で製作されたビティー材）によって現場での組み立てが行われ、１０階を越える建物では殆どゴンドラ設備によっている。ゴンドラ設備は、屋上よりロープで吊り込みする作業セットが早いことと、養生ネットがゴンドラ籠とともに自動昇降するため強風時においてもその都度手間が不要で設備費が安価に抑えられる等の利点がある一方、籠内で作業人が足を踏ん張る際に足元に力が入りにくいためシーリング剥がしの作業効率が悪いといった問題がある。【０００４】  しかして前記足場枠材上での利点は、作業する際に足元の踏ん張りに力が入り手元にもそれが伝わってきて作業性が良いといえるが、欠点は足場組み立てに日数が大きく工程を左右するのと、足場を固定するためにアンカーボルトの打ち込み作業時に室内への振動音が大きく、事前に説明してもその苦情は多く、土日の作業日程だけでは工期に間に合わせるのが難しいといった問題に加え工事費が高価となる等の欠点もある。【０００５】  上記のようなゴンドラ設備であれ足場枠材の組み立てであれ、シーリングの剥がし作業はカッターナイフを用いることに変わりはないため作業性という面では作業員の負担が軽減されるものではない。翻って家屋内の比較的大掛かりでない壁面、タイル面などにおける剥がし作業を効率良く行うために、剥がし器の刃先に振動を与えることを特徴とした技術も存在する（例えば特許文献１参照）。
【先行技術文献】
【特許文献】
【０００６】
【特許文献１】ｈｔｔｐ：／／ｗｗｗ．ａｕｔｏｍａｃｈ．ｃｏｍ／電動剥離機
【発明の概要】
【発明が解決しようとする課題】
【０００７】  特許文献に記載された電動剥離機は、シーリング個所を彫刻刀のように刃先で削り取る要領で行うものであるから、日曜大工的な修復作業には向いても大型建築物の外壁シーリング材等を剥がすには到底実施するに値せず、このためゴンドラ利用などの大掛かりなシーリング剥がし作業は旧態依然の手法を踏襲しているのが現状と云える。【０００８】  本発明は上記従来の剥がし作業の問題点を解決するためになされたもので、高所に設置したゴンドラ上にあっても少ない労力で確実迅速にシーリング材を剥がすことができて作業の安全性が担保され、しかも安価に提供できるシーリング剥がし器を提供しようとするものである。
【課題を解決するための手段】
【０００９】  すなわち本発明は、端部にバッテリー部を有しスイッチ操作で内部のモーターが作動する電動インパクトにユニバーサルジョイントを取り付け、ユニバーサルジョイントと一体的に取り付けた傾斜調節可能な支持体の接続軸を、側面に押さえハンドルを固定したケーシング内のベアリングに挿着し、ケーシング前部に、基部を該ケーシングに固着したへら棒を突設し、前記電動インパクトをスイッチオンすると接続軸が回転し同時にベアリングを介してケーシングが振動するのに伴ってへら棒が振動エネルギー機能を発揮することを主旨としている。【００１０】  前記へら棒は、シャフトの先端部片側が傾斜形成されていることを特徴としている。
【発明の効果】
【００１１】  電動インパクトが動力源となる本発明は回転軸が回転運動を起こし、回転運動と同時に振動音が発生してユニバーサルジョイントへとそれらの動きが伝わるので、ユニバーサルジョイントからケーシングに挿着したへら棒にも振動音が伝達される。へら棒のシャフト先端部をシーリング材に押し込むと振動運動に押される形でへら棒は容易に前進しシーリング材は自然に浮き出るので簡単に除去することができる。つまり作業員が余分な力を入れないでもケーシング側面のハンドルに片手をあてがい、他方の手で電動インパクトをつかんで作業するだけでシーリング材除去が進むため、高所にあるゴンドラ上でもかつてないスピードで安全確実にシーリング剥がしを行うことができるという優れた効果が得られる。【００１２】  電動インパクトに連なるユニバーサルジョイントは傾斜調節が可能であり、へら棒を任意の角度に調整できるためシーリング材と作業者の位置関係等に応じて設定することにより作業効率を向上させることができる。なお電動インパクト、ユニバーサルジョイント等は市販のものを利用することができるためその分剥がし器に余分な製作手数がかからず、したがって製品を安価に提供できるという副次的効果もある。
【図面の簡単な説明】
【００１３】
【図１】本発明の外観図である。
【図２】本発明の要部断面図である。
【図３】先端部を傾斜形成したへら棒の例を示す概略図である。
【発明を実施するための形態】
【００１４】  図面に基づき本発明の最良形態を説明すると、図１は本発明の外観を示すもので、電動インパクト１は下部にスイッチ２、及び下端部にバッテリー部３を備えている。この電動インパクト１、スイッチ２、バッテリー部３は特に目新しい構成ではなく、建設現場で使用される電気ドリルに振動を与えたり、足場枠材の組み立て時にボルトの締め付け工具として、またコンクリートにアンカーボルトを打ち込みする際に用いられる市販のものを利用できるので内部構造等の図面及び説明は省略した。
【００１５】  前記電動インパクト１にはユニバーサルジョイント４が取り付けられ、ユニバーサルジョイント４と一体的に支持体５が取り付けられている。この支持体５は基部をユニバーサルジョイント４に枢支され、枢軸６を支点に傾斜角度を任意に設定できる。支持体５には接続軸７が突出され、該接続軸７は支持体５の側方から挿入したピン８で止着されている。
【００１６】  ９は接続軸７と連動するケーシングで、側面に押さえハンドル１０を固定してあり、先端部にはへら棒１１を取り付けている。へら棒１１は後記するようにケーシング内部に基部を螺着し、固定ナット１２でケーシング９前面に突設してある。へら棒１１はシャフトが長く、先端部１１’は片側が傾斜形成されているため図示のような建屋の外壁タイル１３の内面に容易に介入でき古いシーリング材１４を取り除くことができる。
【００１７】  作業は、片方の手で電動インパクト１を握り、他方の手で押さえハンドル１０をつかんでスイッチ２をオンすれば全体が始動し、目的とするシーリング材１４にへら棒１１の傾斜状先端部１１’をあてがえばよい。電動インパクト１による回転運動がユニバーサルジョイント４、支持体５、接続軸７を介してケーシング９に伝わると、振動運動となってへら棒１１に及ぶという仕組みであり、シーリング材１４の剥離作業を容易とする。
【００１８】  図２は要部の断面を示すもので、傾斜角度が調節できる前記支持体５に一端部を止着された接続軸７がケーシング９内のベアリング１５に挿着されているが、該ベアリング１５はケーシング９内にあって接続軸７とともにフリー回転するためケーシング９が回転することはないが、回転運動は強烈な振動エネルギーとなってケーシング９前部に突設したへら棒１１に及ぶため特別の力を要さずにへら棒１１を前進させることができ、作業員の負担は従来に比べて数段軽減できる。なおベアリング１５は図示のように同じものを２列に並べると良い。
【００１９】  前記した押さえハンドル１０は、その先端部をケーシング９内に螺着し、固定ナット１２ａで締め付ければケーシング９が振動してもぶれることはなく安定感があり、またへら棒１１も、固定ナット１２でケーシング９に緊締されているため弛緩・妄動するおそれはない。へら棒１１は、固定ナット１２を緩めてケーシング９との螺合を解けば容易に取り出すことができ、その交換も簡単にできる。
【００２０】  図３はへら棒１１の先端部１１’の例を示すもので、（ａ）は角平型の平面図及び側面図、（ｂ）は楕円型、（ｃ）は槍型の夫々平面図であるが、勿論これらの形状は一例であって要はシーリング材の材質・横幅等にふさわしい先端部を持つへら棒を用いることにより作業能率の向上が図られるものである。
【符号の説明】
【００２１】１    電動インパクト
２    スイッチ
３    バッテリー部
４    ユニバーサルジョイント
５    支持体
７    接続軸
９    ケーシング
１０  押さえハンドル
１１  へら棒
１４  シーリング材
１５  ベアリング
【図１】
2015113697.tif 000003
【図２】
2015113697.tif 000004
【図３】
2015113697.tif 000005